【事件の表示】
　特許第２９５１９５０号に関する訂正審判事件について、次のとおり審決する。
【結　論】
　本件審判の請求は、成り立たない。
【理　由】
１．手続の経緯
　本願は、平成６年１２月１２日（優先権主張、平成５年１２月１５日及び平成５年１２月２９日、日本）に出願した特願平６−３０７８２２号の一部を平成１０年７月１７日に分割出願としたものであって、平成１１年５月２１日に設定登録（特許第２９５１９５０号）されたものである。
　
２．請求の要旨
　本件審判の請求の要旨は、特許第２９５９１５０号発明の明細書を審判請求書に添付した訂正明細書のとおりに訂正しようとするものである。
　上記訂正明細書の特許請求の範囲の記載は次のとおりである。
「【請求項１】インサート保持具または該インサート保持具が装着されたインサートを、方形または溝型の内面を成形する耐久性の内型枠の、脱型を考慮してテーパー状となった部分の所定の位置に繰り返して設定する際に、前記インサート保持具または該インサート保持具が装着されたインサートから前記耐久性の内型枠側に突き出た少なくとも１本の突起部を前記耐久性の内型枠に設けられた設定孔に装着すると共に、前記突起部が突き出た前記インサート保持具の設定面を前記耐久性の内型枠の表面に当て、脱型する際にコンクリート製品の前記設定面が表れる前記内面に沿って、前記コンクリート製品と前記耐久性の内型枠を上下に滑らせるように分離し、そのときに前記コンクリート製品と前記耐久性の内型枠の間に働く力によって前記突起部を分断することを特徴とするコンクリート製品の製造方法。
【請求項２】請求項１において、前記突起部は前記設定孔に押し込み、嵌め込み、たたき込み、またはねじ込んで前記インサート保持具または該インサート保持具が装着されたインサートを装着可能であることを特徴とするコンクリート製品の製造方法。
【請求項３】請求項１において、前記突起部を装着するときに、その突起部により設定孔に切れて残った突起部を外すことを特徴とするコンクリート製品の製造方法。
【請求項４】 請求項３において、前記突起部は前記設定孔に押し込み、嵌め込み、またはたたき込んで前記インサート保持具または該インサート保持具が装着されたインサートを装着することを特徴とするコンクリート製品の製造方法。
【請求項５】 請求項１において、前記インサート保持具または該インサート保持具が装着されたインサートを装着する際に、前記突起部が突き出ていると共に前記耐久性型の内枠に面した前記インサート保持具の前記設定面の周囲に前記耐久性の内型枠の表面に合わせて変形可能なシールを設けることを特徴とするコンクリート製品の製造方法。
【請求項６】 脱型するときに、方形または溝型の内面を成形する耐久性の内型枠の脱型を考慮してテーパー状となった部分に沿って上下に滑らせるように分離された前記内面を有するコンクリート製品であって、この内面にインサート保持具が装着されたインサートが埋設され、該インサート保持具の設定面が表れており、がインサート保持具の設定面から前記耐久性の内型枠に向かって突出した突起部が分断されていることを特徴とするコンクリート製品。
【請求項７】 請求項６において、前記インサート保持具の前記突起部の分断された跡のある設定面が周囲に設けられたシールによって表れていることを特徴とするコンクリート製品。
【請求項８】 請求項６において、前記インサート保持具の前記突起部の分断された跡のある設定面が前記内面より凹んでいることを特徴とするコンクリート製品。
【請求項９】 インサート保持具または該インサート保持具が装着されたインサートを所定の位置に繰り返し設定可能な、方形または溝型の内面を成形する耐久性の内型枠であって、脱型を考慮してテーパー状となった部分に前記インサート保持具の設定面から突き出た少なくとも１本の突起部を装着可能な設定孔が設けられており、この設定孔が設けられた部分は、前記インサート保持具が装着されたインサートの埋設されたコンクリート製品を脱型するときに該コンクリート製品の前記設定面が表れる前記内面に沿って上下に滑らせるように分離されることを特徴とする耐久性の内型枠。
【請求項１０】 請求項９において、前記設定孔の径は、前記インサートの内径以下であることを特徴とする耐久性の内型枠。
【請求項１１】 インサート保持具または該インサート保持具が装着されたインサートから耐久性型枠に向かって少なくとも１本の突起部が突き出た埋設物であって、前記耐久性型枠に設けられた設定孔に前記突起部を押し込み、嵌め込み、またはたたき込むことにより該埋設物を設定可能であり、該埋設物が埋設されたコンクリート製品を前記耐久性型枠から脱型するときに働く力によって前記突起部が分断可能であり、さらに、前記突起部は、先端に向かって広がった部分を備えていることを特徴とする埋設物。
【請求項１２】インサート保持具またはインサート保持具が装着されたインサートから耐久性型枠に向かって少なくとも１本の突起部が突き出た埋設物であって、前記耐久性型枠に設けられた設定孔に前記突起部を押し込み、嵌め込み、またはたたき込むことにより該埋設物を設定可能であり、該埋設物が埋設されたコンクリート製品を前記耐久性型枠から脱型するときに働く力によって前記突起部が分断可能であり、さらに、前記突起部と前記インサート保持具の接続部分に、前記突起部の延びた方向に沿って凹みまたは切れ目が設けられていることを特徴とする埋設物。
【請求項１３】インサート保持具または該インサート保持具が装着されたインサートから耐久性型枠に向かい、その耐久性型枠に設けられた設定孔に押し込み、嵌め込み、たたき込み、またはねじ込むことにより該埋設物を設定可能な少なくとも１本の突起部が突き出た埋設物であって、前記突起部が突き出ていると共に前記耐久性型枠に面した設定面を有し、この設定面の周囲に前記耐久性型枠の表面に合わせて変形可能なシールを備えており、該埋設物が埋設されたコンクリート製品を前記耐久性型枠から脱型するときに働く力によって前記突起部が分断可能であり、さらに、前記突起部と前記インサート保持具の接続部分に、前記突起部の延びた方向に沿って凹みまたは切れ目が設けられていることを特徴とする埋設物。
【請求項１４】  インサート保持具または該インサート保持具から装着されたインサートから耐久性型枠に向かって少なくとも１本の突起部が突き出た埋設物であって、前記耐久性型枠に設けられた設定孔に前記突起部を押し込み、嵌め込み、またはたたき込むことにより該埋設物を設定可能であり、該埋設物が埋設されたコンクリート製品を前記耐久性型枠から脱型するときに働く力によって前記突起部が分断可能であり、さらに、前記突起部は半径方向に延びた複数のリブを備えていることを特徴とする埋設物。
【請求項１５】インサート保持具または該インサート保持具が装着されたインサートから耐久性型枠に向かい、その耐久性型枠に設けられた設定孔に押し込み、嵌め込み、たたき込み、またはねじ込むことにより該埋設物を設定可能な少なくとも１本の突起部が突き出た埋設物であって、前記突起部が突き出ていると共に前記耐久性型枠に面した設定面を有し、この設定面の周囲に前記耐久性型枠の表面に合わせて変形可能なシールを備えており、該埋設物が埋設されたコンクリート製品を前記耐久性型枠から脱型するときに働く力によって前記突起部が分断可能であり、さらに、前記突起部は半径方向に延びた複数のリブを備えていることを特徴とする埋設物。
【請求項１６】インサート保持具または該インサート保持具が装着されたインサートから耐久性型枠に向かって少なくとも１本の突起部が突き出た埋設物であって、前記耐久性型枠に設けられた設定孔に前記突起部を押し込み、嵌め込み、またはたたき込むことにより該埋設物を設定可能であり、該埋設物が埋設されたコンクリート製品を前記耐久性型枠から脱型するときに働く力によって前記突起部が分断可能であり、さらに、前記突起部は前記耐久性型枠を貫通した後に広がる貫通部分を備えていることを特徴とする埋設物。
【請求項１７】 インサート保持具または該インサート保持具が装着されたインサートから耐久性型枠に向かい、その耐久性型枠に設けられた設定孔に押し込み、嵌め込み、たたき込み、またはねじ込むことにより該埋設物を設定可能な少なくとも１本の突起部が突き出た埋設物であって、前記突起部が突き出ていると共に前記耐久性型枠に面した設定面を有し、この設定面の周囲に前記耐久性型枠の表面に合わせて変形可能なシールを備えており、該埋設物が埋設されたコンクリート製品を前記耐久性型枠から脱型するときに働く力によって前記突起部が分断可能であり、さらに、前記突起部は前記耐久性型枠を貫通した後に広がる貫通部分を備えていることを特徴とする埋設物。
【請求項１８】インサート保持具または該インサート保持具が装着されたインサートから耐久性型枠に向かって少なくとも１本の突起部が突き出た埋設物であって、前記耐久性型枠に設けられた設定孔に前記突起部を押し込み、嵌め込み、またはたたき込むことにより該埋設物を設定可能であり、該埋設物が埋設されたコンクリート製品を前記耐久性型枠から脱型するときに働く力によって前記突起部が分断可能であり、さらに、前記突起部は前記耐久性型枠を貫通し前記耐久性型枠の裏面に引っ掛かることを特徴とする埋設物。
【請求項１９】 インサート保持具または該インサート保持具が装着されたインサートから耐久性型枠に向かい、その耐久性型枠に設けられた設定孔に押し込み、嵌め込み、たたき込み、またはねじ込むことにより該埋設物を設定可能な少なくとも１本の突起部が突き出た埋設物であって、前記突起部が突き出ていると共に前記耐久性型枠に面した設定面を有し、この設定面の周囲に前記耐久性型枠の表面に合わせて変形可能なシールを備えており、該埋設物が埋設されたコンクリート製品を前記耐久性型枠から脱型するときに働く力によって前記突起部が分断可能であり、さらに、前記突起部は前記耐久性型枠を貫通し前記耐久性型枠の裏面に引っ掛かることを特徴とする埋設物。
【請求項２０】インサート保持具または該インサート保持具が装着されたインサートから耐久性型枠に向かって少なくとも２本の突起部が突き出た埋設物であって、前記耐久性型枠に設けられた設定孔に前記突起部を押し込み、嵌め込み、またはたたき込むことにより該埋設物を設定可能であり、該埋設物が埋設されたコンクリート製品を前記耐久性型枠から脱型するときに働く力によって前記突起部が分断可能であり、さらに、これらの突起部は、前記設定孔を貫通し、前記耐久性型枠の裏面に沿って外側に延びる部分を備えていることを特徴とする埋設物。
【請求項２１】 インサート保持具または該インサート保持具が装着されたインサートから耐久性型枠に向かい、その耐久性型枠に設けられた設定孔に押し込み、嵌め込み、たたき込み、またはねじ込むことにより該埋設物を設定可能な少なくとも２本の突起部が突き出た埋設物であって、前記突起部が突き出ていると共に前記耐久性型枠に面した設定面を有し、この設定面の周囲に前記耐久性型枠の表面に合わせて変形可能なシールを備えており、該埋設物が埋設されたコンクリート製品を前記耐久性型枠から脱型するときに働く力によって前記突起部が分断可能であり、さらに、これらの突起部は、前記設定孔を貫通し、前記耐久性型枠の裏面に沿って外側に延びる部分を備えていることを特徴とする埋設物。
【請求項２２】 インサート保持具または該インサート保持具が装着されたインサートから耐久性型枠に向かい、その耐久性型枠に設けられた設定孔にねじ込むことにより該埋設物を設定可能な少なくとも１本の突起部が突き出た埋設物であって、前記耐久性型枠に設けられた設定孔に前記突起部をねじ込む際に、前記設定孔の少なくとも１部に形成された雌ねじによって前記突起部に雄ねじが切られ、該埋設物が埋設されたコンクリート製品を前記耐久性型枠から脱型するときに働く力によって前記突起部が分断可能であることを特徴とする埋設物。」
　
３．訂正拒絶理由
　一方、平成１４年３月２６日（発送日平成１４年３月２９日）付けで通知した訂正の拒絶の理由の概要は、次のとおりである。
　本件の訂正後の請求項１に記載された発明（以下「本件発明１」という）は、刊行物１〜４に記載された発明に基づき、当業者が容易に発明をすることができたものであり、訂正後の請求項２ないし４に係る発明（以下「本件発明２ないし４」という）は、刊行物１〜４に記載された発明に基づいて当業者が容易に発明をすることができたものであり、訂正後の請求項５に係る発明（以下「本件発明５」という）は、刊行物１〜５に記載された発明に基づいて当業者が容易に発明をすることができたものであり、訂正後の請求項６に係る発明（以下「本件発明６」という）は、刊行物１〜４に記載された発明に基づいて当業者が容易に発明をすることができたものであり、訂正後の請求項７に係る発明（以下「本件発明７」という）は、刊行物１〜５に記載された発明に基づいて当業者が容易に発明をすることができたものであり、訂正後の請求項８ないし１０に係る発明（以下「本件発明８ないし１０」という）は、刊行物１〜４に記載された発明に基づいて当業者が容易に発明をすることができたものであるから、特許法第２９条第２項の規定により特許出願の際独立して特許を受けることができないものである。
　また、訂正後の請求項１〜２２に係る発明は、発明の構成に欠くことのできない事項が明確でなく、発明の詳細な説明の記載に基づいて当業者が容易に実施をすることができないものであるから、特許法第３６条第４項及び第５項の規定により特許出願の際独立して特許を受けることができないものである。
　したがって、本件審判の請求は、特許法等の一部を改正する法律（平成６年法律第１１６号）附則第６条第１項の規定によりなお従前の例によるとされる、平成６年法律第１１６号による改正前の特許法第１２６条第３項の規定に適合しない。
　
４．引用刊行物記載の発明
　ア．刊行物１：実願昭５６−２９４００号（実開昭５７−１４２０８０号）のマイクロフィルムには、以下の記載がある。
　ア−１．「底部と左右の側壁部とを、コンクリートにより一体に形成してなるＵ字溝において、前記左右両側壁部内面の対向する位置に、底部を有する穴を一対以上設けたことを特徴とするＵ字溝。」（実用新案登録請求の範囲）
　ア−２．「この場合、スペーサ21は、型枠15の内方から内枠17に穿設された孔20に嵌入することによって取付けられ、このときスペーサ21の溝部22外側面と孔20の内側面とが密着するようになっている。」（第5頁8〜12行）
　ア−３．「このような型枠１５によってＵ字溝を製造するには、次のようにする。まず、型枠１５内にコンクリートを打設し、充分な固化を待ってのち、Ｕ字溝を上方に脱型する。この脱型の際、スペーサ２１は、その溝部２２の部分が内枠１７により切断される。次いで、脱型されたＵ字溝の穴に残ったスペーサの一部を取除く。」（第5頁14〜末行）
　ア−４．第５図には、Ｕ字溝形成用の内枠17に穿設された孔20にスペーサ21の開口部23が嵌入された状態が図示されている。
　イ．刊行物２：実公昭５９−３８６３号公報（本件特許に係る異議の決定（以下、「決定」という）における刊行物１）には、以下の記載がある。
　イ−１．「第３図において5はプラスチック等により形成した筒体で、螺筒等のインサート金物3を嵌合支持される孔6と型枠1に当るフランジ7とを有し、且、筒体5の下部には型枠1に設けた螺孔8に螺合するねじ9を連設し、この取付ねじ9と前記筒体5との堺部に脱型時に取付ねじ9がちぎれる様に切込み10を入れてある。」（第1頁2欄31行〜第2頁3欄1行）
　イ−２．「型枠1に設けた螺孔8へ筒体5の下部に連設した取付ねじ9をフランジ7が型枠1の内面へ当たる迄ねじ込めば筒体5は上方から型枠1へ確実に固定されるから、この状態において、筒体5の孔6へ図面第3図に鎖線で示す様にインサート金物3を嵌合支持させれば、このインサート金物3は型枠1へ取付ねじ9止めされた筒体5により型枠1内の定位置に正確に保持されている。従って、この状態において型枠1内へコンクリートを打込めば、コンクリートは型枠1内に充満して金物3をインサートする」（第2頁3欄7〜17行）
　イ−３．「打込んだコンクリートが固って製品が完成したとき、型ばらしを行えば、製品にインサートされた筒体5と、型枠1にねじ込まれた取付ねじ9とが反対方向へ引張られるため、保持具は切込み10の位置から切れ、筒体5は金物3と共に製品にインサートされ、取付ねじ9は型枠1に残る」（第2頁3欄20〜25行）
　イ−４．第３図には、型枠1に設けた螺孔8へ筒体5の下部に連設した取付ねじ9をフランジ7が型枠1の内面へ当たる迄ねじ込んだ状態が示され、第４図には、製品にインサートされた筒体5と、型枠1にねじ込まれた取付ねじ9とが反対方向へ引張られるため、保持具は切込み10の位置から切れた状態が示されている。
　ウ．刊行物３：実願昭４７−１０８６８４号（実開昭４９−６４５５８号）のマイクロフィルム（決定における刊行物２）には、以下の記載がある。
　ウ−１．「第２図に示すように、この考案に係る支承具の防錆用被覆枠8をインサート金具1の先端部に嵌着し、支承片7を型枠4の貫通孔5に嵌挿させてインサート金具1を型枠4に直立保持させ、しかる後生コンクリートを打設し、凝固するのをまって型枠4からコンクリート板を強制的に脱離させれば第３図に示すように取付孔の付設されたプレキャスト板の完成をみる」（第3頁18行〜第4頁5行）
　ウ−２．「型枠4から凝固したコンクリート板を強制的に脱離させる際にこの切欠部9に剪断力が働いて脱型時に同時に切欠部9が剪断されて支承片7
を切り離し、インサート金具1には防錆用被覆枠8のみが被着されて防錆取付孔が形成されるのである。」（第4頁10〜15行）
　エ．刊行物４：実願昭５６−２３６７５号（実開昭５７−１３６７１２号）のマイクロフィルム（決定における刊行物３）には、以下の記載がある。
　エ−１．「合成樹脂ネジ(3)に穴(4)を明けた合成樹脂中空ネジ(1)にナット(7)を取付ける横面インサート固定具」（実用新案登録請求の範囲第１項）
　エ−２．「第２図のように取り付け位置の型枠(8)に穴(9)を明けインサート(6)をネジ(1)とナット(7)により仮止めする。コンクリート打込み、養生後ＰＣ板を、型枠から脱着する時、ボルトにはせん断が加わり切れて分断され第３図の様になります。」（第2頁6〜11行）
  エ−３．第２図及び第３図には、ボルトにせん断が加わり切れて分断されることが示されている。
　オ．刊行物５：特開昭６１−１７７２０８号公報（決定における引例９）には、以下の記載がある。
　オ−１．「外周に小径弾性体を固定した小径部と、同じく外周に大径弾性体を固定した大径部からなるねじ部のない金具取付ボルトの該小径部を、該小径弾性体の弾性変形を利用してインサート金具のねじ部に圧入したのち、この金具取付ボルトの大径部を、該大径弾性体の弾性変形を利用して型枠の開口部に設けた環状部品に圧入して、該インサート金具を型枠内に突出させた状態で固定することを特徴とするコンクリート製品におけるインサート金具の取付方法。」（特許請求の範囲第１項）
　
５．対比
５−１．本件発明１について
　本件発明１と上記刊行物１に記載されている発明とを対比すると、本件発明１の「インサート保持具または該インサート保持具が装着されたインサート」も、刊行物１における「スペーサ」も、いずれも「コンクリート製品に穴を形成する部材」であるといえるから、両者は、
「コンクリート製品に穴を形成する部材を、溝型の内面を成形する耐久性の内型枠の所定の位置に繰り返し設定する際に、前記コンクリート製品に穴を形成する部材から前記耐久性の内型枠側に突き出た突起部を、前記耐久性の内型枠に設けられた設定孔に装着すると共に、前記突起部が突き出た前記コンクリート製品に穴を形成する部材の設定面を前記耐久性の内型枠の表面に当て、脱型する際にコンクリート製品と前記耐久性の内型枠の間に働く力によって前記突起部を分断することを特徴とするコンクリート製品の製造方法。」である点で一致する。
　したがって、本件発明１と刊行物１に記載される発明との相違点は、以下のＡ〜Ｃの点である。
Ａ．本件発明１では、コンクリート製品に穴を形成する部材が「インサート保持具または該インサート保持具が装着されたインサート」であるのに対して、刊行物１発明では、「スペーサ」である点。
Ｂ．本件発明１では、コンクリート製品に穴を形成する部材が「脱型を考慮してテーパー状となった部分」に設定されるものとされているのに対し、刊行物１発明では、この様な限定がなされていない点。
Ｃ．本件発明１では、「脱型する際にコンクリート製品の前記設定面が表れる前記内面に沿って、前記コンクリート製品と前記耐久性の内型枠を上下に滑らせるように分離」するものとされているのに対し、刊行物１発明では、この様な限定がなされていない点。
　以下、相違点に付き検討する。
　相違点Ａ：コンクリート製品に穴を形成する部材として「インサート保持具が装着されたインサート」を使用することは、刊行物２に記載されており、刊行物１に記載される「スペーサ」に代えて「インサート保持具が装着されたインサート」を使用することは、当業者がコンクリート製品に形成する穴の使用目的に応じ、適宜実施し得るものである。
　相違点Ｂ：刊行物１第５図に示される内枠17がテーパー状となっているか否か不明であるが、脱型を考慮してＵ字溝の内面をテーパー状とすることは慣用手段（実願昭６２−１５２６４８号（実開昭６４−５６４８０号）のマイクロフィルム参照）であるから、刊行物１の内枠17にテーパー状の傾斜を設けることは当業者であれば当然想到しうることである。
　相違点Ｃ：記載ア−２からみて、刊行物１発明の内枠17の脱型は、コンクリート製品と内枠とを上下に滑らせるように分離して行われるものと認められ、たとえそうでないとしても、脱型時にインサート保持具の突起部を剪断力を加えることにより分断することは、刊行物３の記載ウ−２、刊行物４の記載エ−２にみられるように知られているから、刊行物１発明の脱型の方法として「脱型する際にコンクリート製品の前記設定面が表れる前記内面に沿って、前記コンクリート製品と前記耐久性の内型枠を上下に滑らせるように分離」する方法を用いることは当業者が容易に想到し得るものである。
　したがって、本件発明１は、刊行物１及び２、ないし刊行物３，４記載の発明を組み合わせることにより当業者が容易に発明をすることができたものである。
　
　請求人は、平成１４年５月２８日付意見書において、上記一致点における「コンクリート製品に穴を形成する部材の設定面を前記耐久性の内型枠の表面に当て」という構成は刊行物１に記載がなく、図面もない旨主張する。
　しかしながら、刊行物１の第５図には、「溝部22外側面」と「スペーサ21外周面」との接続部に「内枠17内面」と平行する面が図示されている。当該平面が「内枠17内面」に当てられているか、図面からでは必ずしも明確でないが、これらの間に隙間が存在すると、コンクリートの打設したとき、コンクリートが該隙間に入り込み、脱型した後、スペーサが外しにくくなることは明らかであるから、刊行物１に記載される発明においても、スペーサ21の突出部を内枠17に穿設された孔20に挿入する際には、前記の面と内枠の内面の間に隙間が生じないよう、前記の面が内枠内面に当てられているものと解される。すなわち本件発明１でいう「設定面」は刊行物１に示されており、上記一致点の認定に誤りはない。
　なお、仮に刊行物１第５図に示される上記「平面」が、本件発明１における「設定面」とはいえないとしても、コンクリート製品に穴を形成する部材を内型枠の設定孔に装着するのに、確実に位置決めされるよう内型枠の内面に当たる設定面を設けることは、刊行物２のフランジ７（記載イ−１参照）にみられるように周知の手段にすぎない。
　
５−２．本件発明２〜４について
　本件発明２ないし４は、本件発明１において、コンクリート製品に穴を形成する部材の突起部を設定孔に装着するに当たり、「押し込み、嵌めこみ，たたき込み、またはねじ込んで」装着し、また「突起部を装着するときに、その突起部により設定孔に切れて残った突起部を外す」という構成が付け加わった発明である。
　記載ア−２によれば、刊行物１記載の発明においても、コンクリート製品に穴を形成する部材であるスペーサ21の突起部が内枠17に穿設された孔20に「嵌入」、即ち嵌め込まれている。一方、刊行物１には、脱型の際、内枠17により切断されたスペーサをどのように除去するかについての具体的記載はないが、記載ア−２によれば、溝部22外周面と孔20の内周面とが密着するようになっているのであるから、内枠17の孔20には切断されたスペーサ21の突起部が嵌合された状態で保持されるものと考えられ、該突出部がその開口部23の形状からみて内枠17の外方へは簡単に外れることは明らかであるから、これを次の工程で突起部を装着するときに外すようにすることは、当業者が適宜なし得る程度のことである。
　したがって、本件発明１〜４は、刊行物１及び２、ないし刊行物３，４記載の発明を組み合わせることにより当業者が容易に発明をすることができたものである。
　
５−３．本件発明６，９について
　インサート保持具の設定面を耐久性内型枠の表面に当ててコンクリート製品を製造すれば、前記インサート保持具の設定面はコンクリート製品の表面に現れることは自明であるから、本件発明６と本件発明１の構成を対比すると、両者は構成上実質的な差異がなく、本件発明６は、本件発明１によって製造されたコンクリート製品に関する発明ということができる。
　また、本件発明９は、本件発明１のコンクリート製品の製造方法に使用する耐久性内型枠に関する構成をすべて含む発明であるから、本件発明１のコンクリート製品の製造方法に使用する耐久性内型枠に関する発明ということができる。
　してみれば、５−１で検討したように、本件発明１が当業者にとって容易に発明をすることができる以上、本件発明１の製造方法によって製造されたコンクリート製品及び該製造方法において使用する耐久性の内型枠も格別なものとは認められない。
　したがって、本件発明６，９は、刊行物１及び２、ないし刊行物３，４記載の発明を組み合わせることにより当業者が容易に発明をすることができたものである。
　
５−４．まとめ
　以上のとおりであるから、本件発明１〜４，６，９は、刊行物１〜４の記載に基づいて当業者が容易に発明をすることができたものであるから、本件特許出願の際に独立して特許を受けることができない発明である。
　
６．むすび
　以上のとおりであるから、本件審判の請求は、特許法等の一部を改正する法律（平成６年法律第１１６号）附則第６条第１項の規定によりなお従前の例によるとされる、平成６年法律第１１６号による改正前の特許法第１２６条第３項の規定に適合しない。
　よって、結論のとおり審決する。